(57)【要約】【課題】体を自由に動かすことができるニットにより外観が着古した色落ちしたインデゴデニム風となる着古しインデゴデニム外観のニット製衣服を提供する。【解決手段】上糸をインデイゴ染めした綿単糸、中糸をポリウレタン単糸、下糸を白色ポリウレタン単糸として丸編みしたニット生地を、衣服の丈方向を該ニット生地の編目方向の向きを横取り裁断して縫製して、縫製後に上糸よりなる衣服１の表面２に幅方向に向けて擦った石加工を施して着古したインデゴデニム風の色落ちした模様１２を設ける。【選択図】図１
0003151342.tif 000002
【実用新案登録請求の範囲】
【請求項１】
上糸をインデイゴ染めした綿単糸、中糸をポリウレタン単糸、下糸を白色ポリウレタン単糸として丸編みしたニット生地を、衣服の丈方向を該ニット生地の編目方向の向きを横取り裁断して縫製して、縫製後に上糸よりなる該衣服の表面に幅方向に向けて擦った石加工を施して着古した色落ちしたインデゴデニム風の模様を設けたことを特徴とする着古しインデゴデニム外観のニット製衣服
【請求項２】
前記衣服の表面に幅方向に向けた石加工の外にヒゲ加工やブラスト加工を施して着古した色落ちしたインデゴデニム風の模様を設けた請求項１に記載の着古しインデゴデニム外観のニット製衣服。
【請求項３】
前記衣服がパンツである請求項１又は２に記載の着古しインデゴデニム外観のニット製衣服。
【請求項４】
前記衣服がスカートである請求項１又は２に記載の着古しインデゴデニム外観のニット製衣服。
【請求項５】
前記パンツ又はスカートのベルト布部にゴム紐を通した請求項３又は４に記載の着古しインデゴデニム外観のニット製衣服。
【請求項６】
座ったときに横皺ができる前記パンツ又はスカートの上部に石加工を施して、横皺に応じた色落ち模様を付けた請求項３又は４又は５に記載の着古しインデゴデニム外観のニット製衣服。
【考案の詳細な説明】
【技術分野】
【０００１】
本考案は、着古したインデゴデニムの衣服と同様な色落ちした外観を持つのニット製衣服に関するものである。
【背景技術】
【０００２】
インデゴデニムの衣服、例えばジーンズは着古して色落ちした外観が所謂ビンデージものとして好まれている。そのため、予め製造時に石加工、ブラスト加工等の所謂ダメージ加工を施して色落ち模様や雨状模様を付けて着古した外観の製品を提供している（例えば、特許文献１、特許文献２参照）。
【０００３】
ところが、着古した外観のインデゴデニムの衣服であってもゴアゴアしたものであり、体に馴染まず体を動かす際に窮屈なもので、家の中での日常作業が出来ず専ら外出着として着用するものであった。
そこで、家の中での日常作業ができるように体を自由に動かすことができるニット生地により外観が着古した色落ちしたインデゴデニム風のニット製衣服が待望されていた。
【先行技術文献】
【特許文献】
【０００４】
【特許文献１】特開２００３−３０１３５０号公報
【特許文献２】特開昭５４−８２４９３号公報
【考案の概要】
【考案が解決しようとする課題】
【０００５】
本考案は、体を自由に動かすことができるニットにより外観が着古した色落ちしたインデゴデニム風となる着古しインデゴデニム外観のニット製衣服を提供することを目的として完成されたものである。
【課題を解決するための手段】
【０００６】
本考案の着古しインデゴデニム外観のニット製衣服は、上糸をインデイゴ染めした綿単糸、中糸をポリウレタン単糸、下糸を白色ポリウレタン単糸として丸編みしたニット生地を、衣服の丈方向を該ニット生地の編目方向の向きを横取り裁断して縫製して、縫製後に上糸よりなる衣服の表面に幅方向に向けて擦った石加工を施して着古した色落ちしたインデゴデニム風の模様を設けたことを特徴とするものを基本の考案とする。
【０００７】
そして、前記考案において、幅方向に向けて擦った石加工の外にヒゲ加工やブラスト加工を上糸よりなる衣服の表面に施して着古した色落ちしたインデゴデニム風の模様を設けてもよいものである。また、前記の考案において、衣服をパンツ又はスカートよりなるものとすることが好ましいものである。さらに、衣服をパンツ又はスカートよりなるものとした場合にベルト布部にゴム紐を通すものとすることが好ましいものである。また、座ったときに横皺ができる上部に前記石加工を施して、横皺に応じた色落ち模様を付けることが好ましいものである。
【考案の効果】
【０００８】
前記した本考案の着古しインデゴデニム外観のニット製衣服は、ニット生地の持つ伸縮性及び柔軟性により着心地がよく自由に体を動かすことができるものである。そして、衣服の丈方向を前記ニット生地の編目方向の向きを横取り裁断して縫製して、縫製後に上糸よりなる衣服の表面に少なくとも幅方向に向けて擦って石加工を施して着古した色落ちしたインデゴデニム風の模様を設けたものであるから、真新しい衣服すなわちパンツ、スカートでありながら所謂ビンテージ的なジーンズを提供できるものである。
【０００９】
また、衣服の丈方向を前記ニット生地の編目方向の向きを横取り裁断して縫製して、縫製後に上糸よりなる衣服の表面に幅方向に向けて擦った石加工を施したものであるから、該石加工の方向が前記ニット生地の伸縮性の大きい方向となるので、前記ニット生地に糸切れを起こすことなく着古し模様を付けすることができるものである。
【００１０】
また、幅方向に向けた石加工の外にヒゲ加工やブラスト加工を上糸よりなる衣服の表面に施せば、雨状模様等が形成した衣服となるものである。さらに、衣服をパンツ又はスカートよりなるものとした場合にベルト布部にゴム紐を通すことにより、前記ゴム紐を伸ばすことにより簡単に着用できるものである。また、座ったときに横皺ができる上部に石加工を施して、横皺に応じた色落ち模様を付けたものとして、リアルに着古し感が出るものである。
【図面の簡単な説明】
【００１１】
【図１】本考案の実施形態の一例をパンツにより示す一部切欠正面図。
【図２】本考案の実施形態の他例をスカートにより示す一部切欠正面図。
【考案を実施するための形態】
【００１２】
次に、本考案の好ましい実施の形態を図面に基づき説明する。
１は本考案に係る衣服であり、該衣服１は上糸をインデイゴ染めした綿単糸、中糸をポリウレタン単糸、下糸を白色ポリウレタン単糸として丸編みしたニット生地を、該衣服１すなわちパンツ１ａの丈方向を前記ニット生地の編目方向の向きを横取り裁断して縫製して、縫製後に上糸よりなる該衣服１（パンツ１ａ）の表面１１に幅方向に向けて擦って石加工を施して着古したインデゴデニム風の色落ち模様１２を設けたものである。
【００１３】
前記したように衣服１（パンツ１ａ）の表面１１に幅方向に向けて擦って石加工を施したものは、該衣服１（パンツ１ａ）の横方向にできる皺に応じた色落ち模様１２を形成することができリアルに着古したインデゴデニム風の色落ちした模様となるものである。
【００１４】
また、前記のように丸編みしたニット生地を、前記衣服１（パンツ１ａ）の丈方向を前記ニット生地の編目方向の向きを横取り裁断して縫製したことにより、縫製後に上糸よりなる衣服１（パンツ１ａ）の表面１１に幅方向に向けて軽石などで擦り上糸であるインデイゴ染めした綿単糸の色落ちさせる石加工を施す際にニット生地の伸びの大きい編目方向に向けて石加工を施すこととなるので、ニット生地に加わる石加工のストレスにより糸切れすることなく色落ちさせたインデゴデニム風の模様１２を付けることができるものである。
【００１５】
また、前記衣服１（パンツ１ａ）の表面に幅方向に向けた石加工の外にヒゲ加工やブラスト加工を施して色落ち雨状模様１３を付けることにより自然に色落ちしたインデゴデニム風となるなるものである。
【００１６】
すなわち、図１に示すパンツ１ａにあっては、座ったときに横皺ができる上部に石加工を施して、横皺に応じた色落ち模様１２を付け、また、ひざ小僧の当たる箇所にヒゲ加工やブラスト加工を施して色落ち雨状模様１３を付けたものである。さらに、パンツ１ａ表面から突出した箇所であるベルト通し２の表面や縫い合わせ箇所３の表面に擦れた色落ち模様１２ａを付けている。
【００１７】
また、図２に示す衣服１（スカート１ｂ）にあっては、前記パンツ１ａと同様に、座ったときに横皺ができる上部に石加工を施して、横皺に応じた色落ち模様１２を付け、また、その下方にヒゲ加工やブラスト加工を施して雨状模様１３を付けたものである。さらに、スカート１ｂ表面から突出した箇所であるベルト通し２の表面や縫い合わせ箇所３の表面に擦れた色落ち模様１２ａを付けている。なお、色落ち模様１２、雨状模様１３及び色落ち模様１２ａは図作成上の制約から黒で表している。
【００１８】
また、前記した図１及び図２に示すパンツ１ａ及びスカート１ｂは、ベルト布部４にゴム紐５を通してニット生地の伸縮性を生かして、トレーナ的な感覚で着用できるものである。
なお、具体的な衣服１としたは前記したとおりパンツ１ａ及びスカート１ｂを挙げたが、外にジャケツやベスト等もある。
【符号の説明】
【００１９】
１  衣服
1a  パンツ
1b  スカート
11  衣服の表面
12  石加工による色落ち模様
13  色落ち雨状模様
【図１】
0003151342.tif 000003
【図２】
0003151342.tif 000004